(57)【特許請求の範囲】
【請求項１】
内容物が収容された容器、及び、該容器の一端から一方側へ向けて付勢した状態で突出したステム、が備えられたエアゾール容器本体と、
前記容器が収容される容器収容部、前記ステムが挿入される挿入孔、及び、該挿入孔に連通されたノズル、が備えられた噴射器と、
を備えており、
前記容器の他端を押圧して該容器を前記噴射器に対して相対的に一方側へ押し込むことで、前記ステムが前記容器内に押し込まれ、該容器内の内容物が前記ステムを通って前記ノズルから外部に噴射されるエアゾール容器であって、
前記容器収容部は、他方側に向けて開口するとともに、前記エアゾール容器本体が一端側から挿入される開口部を有し、
前記噴射器は、前記容器収容部の前記開口部に取り外し不能に固着されることにより、前記容器の他端における少なくとも一部を他方側から覆うカバー体を備え、
前記カバー体には、前記容器の他端を押圧するための押下孔が形成され、
前記容器収容部及び前記カバー体には、互いに係合可能な係合部がそれぞれ形成されるとともに、前記カバー体が前記容器収容部に接着されることを特徴とするエアゾール容器。
【請求項２】
前記噴射器には、前記内容物の噴射回数をカウントするカウンターが内蔵され、
前記カウンターは、前記容器の押し込み動作の度に押圧され、その押圧回数をカウントするカウント部と、前記カウント部でカウントした前記押圧回数を表示する表示部とを有していることを特徴とする請求項１記載のエアゾール容器。
【発明の詳細な説明】
【技術分野】
【０００１】
本発明は、内容物を噴射させる噴射器を備えたエアゾール容器に関する。
【背景技術】
【０００２】
この種のエアゾール容器として、従来から、例えば喘息薬等の薬剤（内容物）を収容したエアゾール容器本体と、そのエアゾール容器本体に装着された噴射器と、を備えた構成が知られている（例えば、特許文献１参照）。
【０００３】
具体的に、上記したエアゾール容器本体は、液状の内容物を収容した容器と、容器から容器の外方へ付勢状態で突出されたステムと、を備えており、ステムが容器内に押し込まれることで容器内の内容物がステムを通って噴射される。一方、上記した噴射器は、容器を収容する有底筒状の容器収容部と、容器収容部の下端部の側面に突設された筒状の噴射口部と、容器収容部の下端部の内側に形成されてステムが挿入された挿入孔と、この挿入孔に連通されて噴射口部に向けて開口されたノズルと、を備えている。
このような構成からなるエアゾール容器では、噴射口部を患部（例えば口腔内）に向けた状態で、容器の上端（倒立状態における容器の底部）を指等で押圧して容器を押し下げることで、ステムが容器内に押し込まれ、容器内の内容物がステムを通ってノズルから噴射口部内に向けて霧状に噴射され、患部に内容物が投与される。
【０００４】
ところで、エアゾール容器本体内に収容される内容物の種類によっては、内容物の総使用量を厳格に管理する必要がある。
【先行技術文献】
【特許文献】
【０００５】
【特許文献１】特許第３４８７８６６号公報
【発明の概要】
【発明が解決しようとする課題】
【０００６】
しかしながら、上記したエアゾール容器では、内容物を使い切る前に噴射器とエアゾール容器本体とが分離し、エアゾール容器本体内から内容物が意図せず噴射される虞があった。
【０００７】
そこで、本発明は、上記した従来の問題点を解決するものであり、使用を開始した後に噴射器からエアゾール容器本体が外れるのを防止して、エアゾール容器本体内の内容物を確実に使い切らせることができるエアゾール容器を提供することを目的としている。
【課題を解決するための手段】
【０００８】
本発明に係るエアゾール容器は、内容物が収容された容器、及び、該容器の一端から一方側へ向けて付勢した状態で突出したステム、が備えられたエアゾール容器本体と、前記容器が収容される容器収容部、前記ステムが挿入される挿入孔、及び、該挿入孔に連通されたノズル、が備えられた噴射器と、を備えており、前記容器の他端を押圧して該容器を前記噴射器に対して相対的に一方側へ押し込むことで、前記ステムが前記容器内に押し込まれ、該容器内の内容物が前記ステムを通って前記ノズルから外部に噴射されるエアゾール容器であって、前記容器収容部は、他方側に向けて開口するとともに、前記エアゾール容器本体が一端側から挿入される開口部を有し、前記噴射器は、前記容器収容部の前記開口部に取り外し不能に固着されることにより、前記容器の他端における少なくとも一部を他方側から覆うカバー体を備え、前記カバー体には、前記容器の他端を押圧するための押下孔が形成され、前記容器収容部及び前記カバー体には、互いに係合可能な係合部がそれぞれ形成されるとともに、前記カバー体が前記容器収容部に接着されることを特徴としている。
【０００９】
このような特徴により、容器収容部の開口部にカバー体を取り外し不能に固着すると、カバー体が、容器収容部の他方側から容器の他端における少なくとも一部を覆う。したがって、エアゾール容器の使用を開始してから内容物を使い切るまでの間に、エアゾール容器を落として噴射器からエアゾール容器本体が外れそうになったり、噴射器からエアゾール容器本体を故意に取り外そうとしたりして、エアゾール容器本体全体が噴射器に対して他方側に移動しようとしても、容器の他端がカバー体の内面に突き当たる。これにより、エアゾール容器本体の他方側への移動が規制され、噴射器からエアゾール容器本体が外れるのを防止できる。したがって、使用を開始した後に噴射器からエアゾール容器本体が外れるのを防止して、エアゾール容器本体内の内容物を確実に使い切らせることができる
【００１１】
また、容器収容部またはカバー体の接着面に接着剤を介在させるだけで、容器収容部とカバー体とを簡単、かつ強固に固着できる。
【００１３】
さらに、容器収容部とカバー体とを固着させる際に、例えば容器収容部とカバー体とを端面同士で接着する場合に比べて、両者の位置決めを簡単に行うことができる。また、容器収容部及びカバー体が固着される前であっても、容器収容部とカバー体とが組み付けられた状態で維持されるので、固着作業を簡単に行うことができ、製造効率を向上できる。
さらに、容器収容部とカバー体とを端面同士で接着する場合に比べて固着面積を増加できるため、両者をより強固に固着できる。
【００１４】
また、本発明に係るエアゾール容器は、前記噴射器には、前記内容物の噴射回数をカウントするカウンターが内蔵され、前記カウンターは、前記容器の押し込み動作の度に押圧され、その押圧回数をカウントするカウント部と、前記カウント部でカウントした前記押圧回数を表示する表示部とを有していることが好ましい。
【００１５】
これにより、カウント部により容器の押圧回数をカウントすることで、エアゾール容器内の内容物を噴射するたびにカウンターでその噴射回数をカウントできる。そして、カウント部による押圧回数を表示部に表示することで、内容物の噴射回数を容易に確認できる。
特に、本発明に係るエアゾール容器では、上記したように噴射器からエアゾール容器本体が外れるのを防止できるので、一旦使用を開始したエアゾール容器本体を取り外した状態で、内容物を噴射したり、エアゾール容器本体が未装着の状態で、噴射器のカウント部を押下したりすることがない。そのため、表示部に正確な噴射回数を表示させることができるので、噴射回数を正確に把握でき、この噴射回数に基づいて内容物の総使用量や残量を厳格に管理できる。
【発明の効果】
【００１６】
本発明に係るエアゾール容器によれば、使用を開始した後に噴射器からエアゾール容器本体が外れるのを防止して、エアゾール容器本体内の内容物を確実に使い切らせることができる
【図面の簡単な説明】
【００１７】
【図１】エアゾール容器を上方からみた平面図（上面図）である。
【図２】図１のＡ−Ａ線に沿う断面図である。
【図３】図２に相当する断面図であり、エアゾール容器の使用時を示す図である。
【発明を実施するための形態】
【００１８】
以下、本発明に係るエアゾール容器の実施の形態について、図面に基づいて説明する。
図１は本実施形態におけるエアゾール容器１を上方からみた平面図（上面図）であり、図２は図１のＡ−Ａ線に沿う断面図である。
なお、本実施形態におけるエアゾール容器１は、後述するエアゾール容器本体２のステム２１を下向きにした状態で使用されるエアゾール容器であり、後述する容器２０からみてステム２１が突出した方向（図２における下側）を「下側」とし、その反対側（容器２０の底部側（図２における上側））を「上側」とする。上記した「下側」が本発明における「一方側」に相当し、上記した「上側」が本発明における「他方側」に相当する。また、図面に示す鎖線Ｏはエアゾール容器本体２の中心軸線を示しており、以下、単に「軸線Ｏ」と記す。また、本実施の形態では、軸線Ｏに沿った方向を「軸方向」とし、軸線Ｏに直交する方向を「径方向」とし、軸線Ｏ回りの方向を「周方向」とする。
【００１９】
図１，図２に示すように、エアゾール容器１は、例えば喘息薬等の薬剤（内容物）を霧状にして口から吸引させるための器具であり、その概略構成としては、エアゾール容器本体２と、エアゾール容器本体２が装着される噴射器３と、を備えている。
【００２０】
エアゾール容器本体２は、既知の（一般的な）構造のものを採用することができ、液状等の薬剤が収容された容器２０と、その容器２０の下端から下方付勢状態で突出したステム２１と、を備えている。
【００２１】
ステム２１は、軸方向に延在する筒部であり、軸線Ｏを共通軸にして容器２０と同軸上に配設されている。また、ステム２１は容器２０に対して相対的に押し上げ可能に配設されており、エアゾール容器本体２は、ステム２１が容器２０に対して相対的に上方に移動して容器２０内に押し込まれることで、容器２０内の薬剤がステム２１内に流入する構成となっている。
【００２２】
噴射器３は、上記した容器２０が収容される有底筒状の容器収容部３０と、容器収容部３０の上端開口部３７を閉塞するカバー体４１と、容器収容部３０の下端部の側面に突設された筒状の噴射口部３１と、後述するカウンター５が収容されたカウンター収容部３８と、上記したステム２１が挿入される挿入孔３２と、その挿入孔３２に連通されたノズル３３と、を備えている。
【００２３】
容器収容部３０は、上方に向けて開口する上端開口部３７を有し、この上端開口部３７から容器収容部３０内にエアゾール容器本体２が挿入される。
噴射口部３１は、容器収容部３０の下端部の側面に形成された開口３０ａの縁部から径方向外側に向けて突出されており、径方向に延設されている。この噴射口部３１の先端は、外部に向けて開放されており、また、噴射口部３１の基端は、上記した開口３０ａを介して容器収容部３０の内側に開放されており、噴射口部３１の内側と容器収容部３０の内側とは連通されている。また、噴射口部３１には、その外径が縮径された縮径部３１ａが形成されており、この縮径部３１ａにキャップ３９が着脱可能に嵌合されている。なお、本実施形態において、容器収容部３０からみて噴射口部３１側（図２における左側）を正面側とし、その反対側（図２における右側）を背面側とする。
【００２４】
容器収容部３０の内側の底面（下端）には、上方に向けて延在する突出部３４が立設されており、この突出部３４の上端部に、上記した挿入孔３２が形成されており、また、突出部３４の正面側の側部に上記したノズル３３が形成されており、さらに、その内部に、ノズル３３と挿入孔３２とを連通する連通孔３５が形成されている。
【００２５】
挿入孔３２は、軸方向に延在する有底孔であり、軸線Ｏを共通軸にしてステム２１と同軸上に配設されている。この挿入孔３２の上端部は上方に向かうに従いテーパー状に漸次拡径されており、挿入孔３２の上端は突出部３４の上端面で開口されている。
ノズル３３は、噴射口部３１の内側に向けて薬剤を霧状（拡散状態）で噴射するためのものであり、噴射口部３１の基端開口面（開口３０ａ）に対向する位置に配設されている。また、ノズル３３は、背面側から正面側に向かうに従いテーパー状に漸次拡径されている。
連通孔３５は、ステム２１の先端から流出した薬剤をノズル３３に送るための流通孔であり、挿入孔３２の底面（下端）から下方に向かって延びた有底孔である。また、連通孔３５の下端部の側面には、ノズル３３の背面側の端部が開放されている。
【００２６】
また、カウンター収容部３８は、容器収容部３０の下端部の背面側（突出部３４の背面側）が、径方向外側に向けて張り出されて形成されている。カウンター収容部３８には、下面から背面側にかけて開口する開口３８ａが形成され、この開口３８ａからカウンター５が挿入されている。また、カウンター収容部３８の上面には、カウンター収容部３８内と容器収容部３０内とを連通させる連通孔３８ｂが形成されている。
【００２７】
カウンター５は、既知の構成によるカウンターであり、カウント部５１が押される度にその回数をカウントしてその回数を表示部５３に表示するものである。
カウント部５１は、カウンター本体５０の上面に上方付勢状態で立設されたものであり、上記した連通孔３８ｂを通って容器収容部３０内に臨むように配置される。この時、カウント部５１は、上記した容器２０の下端縁（肩部）に上下方向で対向する位置に配設される。表示部５３は、カウンター本体５０の背面側の側面に設けられており、カウンター収容部３８の開口３８ａから露出するように配設されている。
【００２８】
そして、カウンター収容部３８の開口３８ａは、蓋体３６で閉塞されている。蓋体３６は、カウンター収容部３８の下端から背面側までを覆うように設けられ、カウンター収容部３８の開口３８ａにアンダーカット嵌合もしくは固着（接着）されている。この場合、蓋体３６の外面は、カウンター収容部３８及び容器収容部３０の外面に連続するように略面一に形成されている。また、蓋体３６におけるカウンター５の表示部５３に対向する位置には、外面が凸状に湾曲形成された透明なレンズ部３６ａが形成されている。
【００２９】
ここで、容器収容部３０には、上端開口部３７を覆うようにカバー体４１が設けられている。カバー体４１は、容器収容部３０と同軸上に配設される有頂筒状に形成されている。
【００３０】
カバー体４１は、容器収容部３０の上端開口部３７内に嵌合されて接着されている。具体的に、カバー体４１の周壁４３の下端外周面には、外径を縮径して形成された段差部４５が形成されるとともに、段差部４５の下端には径方向外側に向かって突出する係合突部（係合部）４６が全周に亘って形成されている。一方、容器収容部３０の上端内周面には、内径を拡径して形成された段差部３０ｆが形成されるとともに、段差部３０ｆの上端には径方向内側に向けて突出する係合突部（係合部）３０ｇが全周に亘って形成されている。
そして、カバー体４１及び容器収容部３０は、各段差部４５，３０ｆ間に接着剤（不図示）を介在させ、かつ、各係合突部４６，３０ｆ同士がアンダーカット嵌合された状態で、接着されている。すなわち、カバー体４１及び容器収容部３０は、接着剤を介して取り外し不能に組み付けられている。この場合、容器収容部３０及びカバー体４１の外周面は、連続的に略面一に形成されている。
【００３１】
また、カバー体４１は、周壁４３の上端側を覆う天壁部４４（上面）を有している。天壁部４４には、カバー体４１を貫通して容器収容部３０内に連通する押下孔４７が形成されている。この押下孔４７は、エアゾール容器１を使用する際、容器２０を下方に向けて押圧するための孔であって、容器収容部３０内に指等を挿入可能な大きさに形成されている。具体的に、押下孔４７は、カバー体４１の天壁部４４において、中央部から背面側に亘って配置されており、天壁部４４と周壁４３との角部を乗り越えて、周壁４３の背面側に至っている。
【００３２】
これにより、カバー体４１の天壁部４４は、上面視背面側に向けて開口するＵ字状に形成されている。そして、天壁部４４は、容器２０の上面（底部）の外周側を上方から覆っている。そのため、容器収容部３０内に収容されたエアゾール容器本体２は、その上面（底部）の縁部が正面側、両側面側の３方向で覆われた状態で上方への移動が規制され、噴射器３から取り外し不能に構成されている。
【００３３】
次に、上記した構成からなるエアゾール容器１の作用について説明する。
【００３４】
まず、噴射器３内にエアゾール容器本体２を装着する方法について説明する。図１，図２に示すように、ステム２１を下方に向けた状態で、容器収容部３０の上端開口部３７から下方に向けて挿入するとともに、ステム２１の先端が挿入孔３２の底面に当接するまで容器２０を下方へ押し込む。
【００３５】
次に、容器収容部３０とカバー体４１とを接着固定する。具体的に、容器収容部３０の段差部３０ｆまたはカバー体４１の段差部４５に接着剤を塗布し、容器収容部３０の上端開口部３７及びカバー体４１の下端開口部４２を対向させた状態で、カバー体４１及び容器収容部３０を互いに上下方向に接近移動させる。すると、カバー体４１の係合突部４６が容器収容部３０の係合突部３０ｇを乗り越えアンダーカット嵌合され、カバー体４１の段差部４５が容器収容部３０の段差部３０ｆ内に収容される。これにより、容器収容部３０の上端開口部３７がカバー体４１に覆われるとともに、容器収容部３０及びカバー体４１がアンダーカット嵌合された状態で、接着剤により接着固定される。
そして、噴射器３へのエアゾール容器本体２の装着が完了し、容器収容部３０とカバー体４１とが接着固定された状態で、エアゾール容器１が提供される。このように、容器収容部３０とカバー体４１とを接着剤を用いて固着することで、容器収容部３０またはカバー体４１の少なくとも一方における接着面に接着剤を介在させるだけで、両者を簡単、かつ強固に固着できる。
【００３６】
図３は、図２に相当する断面図であり、エアゾール容器の使用時を示す図である。
次に、上記したエアゾール容器１を使用する際には、まず、図１〜図３に示すように、縮径部３１ａからキャップ３９を取り外し、噴射口部３１を使用者の口の中に向ける。この状態で、押下孔４７を通して容器収容部３０内に指等を挿入して容器２０の上端（底部）を押圧することにより、容器２０を噴射器３に対して相対的に下方へ押し下げる。この時、ステム２１の先端が挿入孔３２の底面に当接しており、ステム２１の下方への移動が規制されているため、ステム２１は容器２０に対して相対的に押し上げられて容器２０の内側に押し込まれる。その結果、容器２０内の内容物がステム２１を通ってノズル３３から噴射口部３１に向けて噴射される。
【００３７】
また、容器２０が下げられることで、容器２０の下端縁がカウント部５１の上端面に当接してカウント部５１が押下される。その結果、カウンター５が噴射をカウントし、表示部５３にカウント数が表示される。
【００３８】
続いて、容器２０の上端から指等を離して容器２０の上端への押圧を解除する。これにより、ステム２１の付勢力によって容器２０が押し上げられて容器２０が元の位置に戻り、ノズル３３からの噴射が停止される。この時、容器２０が上昇することで、カウント部５１の押下が解除される。
【００３９】
このように容器２０を押し下げる度に、ノズル３３から薬剤が噴射されるとともに、カウント部５１が押されて噴射回数がカウントされ、表示部５３にカウント数が表示される。なお、表示部５３は、カウンター収容部３８に形成されたレンズ部３６ａを通して目視で確認することが可能である。この場合、レンズ部３６ａを通すことで、表示部５３に表示されるカウント数を拡大表示できるため、視認性を向上できる。
【００４０】
ここで、本実施形態では、エアゾール容器１の組み付け時に、容器収容部３０とカバー体４１とを接着しておくことで、容器収容部３０からカバー体４１を取り外そうとしても、容器収容部３０とカバー体４１とが分離しないようになっている。
そして、本実施形態のエアゾール容器１では、エアゾール容器１の使用を開始してから薬物を使い切るまでの間に、エアゾール容器１を落として噴射器３からエアゾール容器本体２が外れそうになったり、噴射器３からエアゾール容器本体２を故意に取り外そうとしたりして、エアゾール容器本体２全体が噴射器３に対して上方に移動しようとしても、容器２０の上面（底部）がカバー体４１の天壁部４４の内面に突き当たる。これにより、エアゾール容器本体２の上方への移動が規制され、噴射器３からエアゾール容器本体２が取り外せないようになっている。
【００４１】
本実施形態によれば、上記したように容器収容部３０の上端開口部３７を上方から覆うようにカバー体４１を接着することで、使用を開始した後に容器収容部３０からカバー体４１が分離するのを防止できるとともに、噴射器３内からエアゾール容器本体２が外れるのを防止できる。これにより、エアゾール容器本体２内の薬剤を確実に使い切らせることができる。また、一旦使用を開始したエアゾール容器本体２を取り外した状態で、薬剤を噴射したり、エアゾール容器本体２が未装着の状態で、噴射器３のカウント部５１を押下したりすることがない。そのため、表示部５３に正確な噴射回数を表示させることができるので、噴射回数を正確に把握でき、この噴射回数に基づいて薬剤の総使用量を厳格に管理できる。
【００４２】
また、本実施形態では、容器収容部３０とカバー体４１とを接着する際に、両者がアンダーカット嵌合されるため、例えば容器収容部３０とカバー体４１とを端面同士で接着する場合に比べて、両者の径方向における位置決めを簡単に行うことができる。また、接着剤が乾燥する前であっても、容器収容部３０とカバー体４１とが組み付けられた状態で維持されるので、接着作業を簡単に行うことができ、製造効率を向上できる。
さらに、容器収容部３０とカバー体４１とを端面同士で接着する場合に比べて接着面積を増加できるため、両者をより強固に接着固定できる。
また、カバー体４１の押下孔４７を、天壁部４４から周壁４３の背面側に至るまで形成することで、エアゾール容器１の使用時に噴射器３を背面側から把持した状態で、指等を容器収容部３０内に挿入し易くなる。そのため、使用時の取り扱いが容易になる。
【００４３】
以上、本発明に係るエアゾール容器の実施形態について説明したが、本発明は上記した実施形態に限定されるものではなく、その趣旨を逸脱しない範囲で適宜変更可能である。
例えば、上記した実施形態では、噴射口部３１が容器収容部３０（軸線Ｏ）に対して垂直に突設されているが、本発明は、噴射口部３１が容器収容部３０（軸線Ｏ）に対して斜めに突設された構成や、容器収容部３０（軸線Ｏ）に平行に突設された構成にすることも可能であり、或いは、噴射口部３１を突設しない構成（開口のみ）にすることも可能である。
【００４４】
また、上記した実施形態では、カウンター５の表示部５３が背面側に配設されているが、本発明は、表示部５３が下面側や側面側に配設されていてもよい。
また、上記した実施の形態では、カウンター５が容器収容部３０の内側に収容されているが、本発明は、カウンター５が容器収容部３０の外側に取り付けられていてもよい。また、必ずしもカウンター５を内蔵する必要はない。
【００４５】
また、上記した実施形態で内臓されるカウンター５としては、デジタル式のカウンターや、デジタル式以外のカウンターが備えられていてもよく、例えば、ラチェット機構を用いた機械式のカウンターが備えられていてもよい。このような機械式のカウンターの構成としては、一方向への回転が許容されているとともに他方への回転が規制部材によって規制されたピニオンが備えられ、カウント部が押下されると、ピニオンが一方向に回転して回数をカウントする構成等が考えられる。
【００４６】
また、上述した実施形態では、カバー体４１の天壁部４４が容器２０の上端面の外周側を覆うように形成したが、天壁部４４が容器２０の上端面（底部）における少なくとも一部を覆い、かつ容器２０を押圧するための押下孔４７が形成されていれば、天壁部４４の形成範囲は適宜設計変更が可能である。
また、上述した実施形態では、容器収容部３０とカバー体４１とを接着剤を介して固定する場合について説明したが、両者が固着されていれば、溶着等を用いても構わない。
【００４７】
また、上記した実施の形態では、エアゾール容器本体２のステム２１を下向きにした姿勢でエアゾール容器１が配置され、容器２０を押し下げることで薬剤を噴射させる構成になっているが、本発明は、上記した姿勢で使用されるエアゾール容器に限定されるものではない。例えば、エアゾール容器本体２のステム２１を上向きにした姿勢、斜め向きにした姿勢、横向きにした姿勢などでエアゾール容器１を用いることも可能である。
さらに、エアゾール容器本体２内に収容される内容物は、薬剤に限らず、用途に応じて種々の内容物を収容することが可能である。
また、上述した実施形態では容器収容部３０の内周面及びカバー体４１の外周面に係合突部３０ｇ， ４６を形成し、カバー体４１を容器収容部３０に内嵌固定する構成について説明したが、容器収容部３０の外周面及びカバー体４１の内周面に係合突部３０ｇ， ４６を形成し、カバー体４１を容器収容部３０に外嵌固定する構成にしても構わない。
【００４８】
その他、本発明の主旨を逸脱しない範囲で、上記した実施の形態における構成要素を周知の構成要素に置き換えることは適宜可能であり、また、上記した変形例を適宜組み合わせてもよい。
【符号の説明】
【００４９】
１  エアゾール容器
２  エアゾール容器本体
３  噴射器
５  カウンター
２０  容器
２１  ステム
３０  容器収容部
３０ｆ  係合突部（係合部）
３２  挿入孔
３３  ノズル
３７  上端開口部（開口部）
４１  カバー体
４６  係合突部（係合部）
４７  押下孔
５１  カウント部
５３  表示部
【図１】
0005568378.tif 000002
【図２】
0005568378.tif 000003
【図３】
0005568378.tif 000004